(57)【要約】【課題】スイッチが操作しやすく、且つ、腕部を必要以上に太くしないようにすることができる照明装置を提供すること。【解決手段】腕部３の先端に灯具４を有する照明装置としての電気スタンド１であって、前記腕部３を構成する支柱部５に、前後方向に貫通した孔部８を形成すると共に、この孔部８の内周面８Ａにスイッチとしてのタッチセンサ９を設けたことで、前記孔部８前方の開口部８Ｂから指を挿入し、前記孔部８内の前記タッチセンサ９に触れることで、前記灯具４の光源を点灯又は消灯させることができる。そして、前記タッチセンサ９が前記孔部８の内周面８Ａに沿って設けられていることで、指の腹で自然に前記タッチセンサ９に触れることができる。更に、前記タッチセンサ９が前記孔部８に設けられているため、前記タッチセンサ９が正面を向かない構造でありながら、前記支柱部５が必要以上に太くならないようにすることができる。【選択図】図１
2010050062.tif 000002
【特許請求の範囲】
【請求項１】
腕部と、この腕部の先端に設けられた灯具と、前記腕部に設けられたスイッチとを有する照明装置において、
前記腕部に、少なくとも前方が開放した孔部を形成すると共に、この孔部の内周面に前記スイッチを設けたことを特徴とする照明装置。
【請求項２】
前記腕部に、前記孔部を前後方向に貫通させて形成したことを特徴とする請求項１記載の照明装置。
【発明の詳細な説明】
【技術分野】
【０００１】
本発明は、照明装置に関するものであり、特に、机上等で用いられる電気スタンド等の照明装置に関するものである。
【背景技術】
【０００２】
従来、この種の照明装置としては、基部と、この基部の後部に立設された支柱部（本発明の腕部に相当する）と、この支柱部の上部に設けられた屈曲部（本発明の腕部に相当する）と、この屈曲部の先端に設けられた灯具とを有して構成され、前記支柱部の正面にスイッチが設けられた電気スタンドが知られている（例えば、特許文献１参照。）。また、本体とセード（本発明の灯具に相当する）とを有し、これらをフレキカバー（本発明の腕部に相当する）によって連結すると共に、前記本体に電源スイッチ（本発明のスイッチに相当する）が設けられたタスク照明装置も知られている（例えば、特許文献２参照。）。更に、スタンド取付部（本発明の腕部に相当する）と、このスタンド取付部に一端が回動可能に取り付けられたアーム部材（本発明の腕部に相当する）と、このアーム部材の他端に取り付けられたセード（本発明の灯具に相当する）とを具備し、前記スタンド取付部の上部にスイッチを斜めに傾斜させて設けた電気スタンドも知られている（例えば、特許文献３参照。）。
【特許文献１】特開２００６−１２０５８１号公報
【特許文献２】特開平１１−２８３４１２号公報
【特許文献３】特開２００１−０６７９２７号公報
【発明の開示】
【発明が解決しようとする課題】
【０００３】
しかしながら、特許文献１のような照明装置では、前記スイッチを操作するために使用者が照明装置に向かって指を伸ばすと、使用者の指の爪先が前記スイッチに当たることになる。前記スイッチに触れたり前記スイッチを押したりする場合、指の腹で前記スイッチに触れる方が操作しやすいので、照明装置の近くで手首を捻って指の腹が前記スイッチに触れるようにしなければならず、スイッチの操作がやや行いにくいという問題があった。一方、特許文献２のような照明装置では、前記スイッチが前記本体に上向きに設けられているため、指の腹で前記スイッチを自然に操作することができるものの、前記本体とセードが電気的に接続されることで、前記本体とフレキカバーとが分離できない。このため、梱包サイズが大きくなってしまうという問題があった。また、特許文献３のような照明装置でも、前記スイッチが前記スタンド取付部に斜め上を向いて設けられているため、指の腹で前記スイッチを自然に操作することができるものの、前記スタンド取付部が前方に大きく膨らんでしまうので、外観上好ましくないという問題もあった。
【０００４】
本発明は以上の問題点を解決し、スイッチが操作しやすく、且つ、腕部を必要以上に太くしないようにすることができる照明装置を提供することを目的とする。
【課題を解決するための手段】
【０００５】
本発明の請求項１に記載の照明装置は、腕部と、この腕部の先端に設けられた灯具と、前記腕部に設けられたスイッチとを有する照明装置において、前記腕部に、少なくとも前方が開放した孔部を形成すると共に、この孔部の内周面に前記スイッチを設けたものである。
【０００６】
また、本発明の請求項２に記載の照明装置は、請求項１において、前記腕部に、前記孔部を前後方向に貫通させて形成したものである。
【発明の効果】
【０００７】
本発明の請求項１に記載の照明装置は、以上のように構成することにより、腕部前方の開口部から孔部内に指を挿入し、前記孔部内のスイッチを操作することで、前記灯具の光源が点灯又は消灯する。そして、前記スイッチが前記孔部の内周面に設けられていることによって、指の腹で自然に前記スイッチの操作を行うことができる。また、前記スイッチが前記腕部に形成された孔部に設けられているため、前記スイッチが正面を向かないような構造にしたとしても、前記腕部が必要以上に太くならないようにすることができる。
【０００８】
また、前記孔部を前記腕部の前後方向に貫通させて形成したことにより、指を前記孔部に挿入する際、爪先が当たらないようにすることができるので、スイッチ操作をより行いやすくすることができる。
【発明を実施するための最良の形態】
【０００９】
以下、本発明の第一の実施形態について、図１及び図２に基づいて説明する。１は照明装置としての電気スタンドである。この電気スタンド１は、厚い平板状の鋼板によって形成された基部２と、腕部３と、この腕部３の先端に設けられた灯具４とを有して構成されている。なお、前記腕部３は、前記基部２の後部に立設された支柱部５と、この支柱部５の上部に設けられた屈曲部６と、この屈曲部６の先端に設けられた首部７とを有して構成されている。そして、前記支柱部５には、後述する蛍光灯１３を点灯させるための図示しない点灯回路が収容されている。また、前記支柱部５には、孔部８が前後方向に貫通して形成されていると共に、この孔部８の内周面８Ａには、前記点灯回路のためのスイッチである環状のタッチセンサ９が設けられている。なお、前記孔部８は、その中央よりも前方の開口部８Ｂ側が広くなるように構成されている。ここで言う「前方」の定義は、前記電気スタンド１の正面側であるが、使用時に使用者と対向する側と定義しても良い。また、前記タッチセンサ９は、合成樹脂製の環状部材の表面に金属メッキを施して構成されている。更に、前記屈曲部６は、蛇腹体１０の内部に図示しないフレキシブルシャフトを内蔵して構成されている。そして、このフレキシブルシャフトが自在に屈曲することで、前記屈曲部６は自在に屈曲する。
【００１０】
前記灯具６は、下方が開放したセード１１と、このセード１１に設けられたソケット１２に対して着脱自在に取り付けられる蛍光灯１３とを有して構成されている。なお、前記蛍光灯１３としては、例えばＦＰＬ型の蛍光灯等が用いられる。前記セード１１は、下方が開放したセード本体１４と、このセード本体１４の左端側に設けられると共に前記ソケット１２を収容する収容部１５とで構成されている。そして、前記収容部１５は、前記首部７に対して取り付けられている。また、セード本体１４には、反射板１６が取り付けられていると共に、この反射板１６の下方に、前記蛍光灯１３の先端側を保持するための保持金具１７が設けられている。
【００１１】
次に、本実施形態の作用について説明する。まず、使用者は前記電気スタンド１を机上等の任意の位置に置き、図示しない電源プラグを図示しないコンセントに差し込む。そして、前記開口部８Ｂ側から前記孔部８内に任意の指を挿入し、前記タッチセンサ９に触れることで、図示しない点灯回路によって、前記ソケット１２に接続された蛍光灯１３が点灯又は消灯する。この蛍光灯１３を点灯させると、この蛍光灯１３から放射された光によって、机上等が照らされる。具体的には、前記蛍光灯１３から下方に放射された光によって、机上等が直接照らされると共に、前記蛍光灯１３から上方に放射された光が前記反射板１６で下方に反射されて机上等が照らされる。
【００１２】
なお、前述したように、前記孔部８の中央よりも前方の開口部８Ｂ側が広くなるように、前記孔部８が構成されていることで、多少斜めからでも使用者の指を前記孔部８に挿入できるので、前記タッチセンサ９に触れやすくなっている。また、前述したように、前記孔部８の内周面８Ａに沿うように、環状の前記タッチセンサ９が設けられていることで、このタッチセンサ９のうち、自然な姿勢で指の腹が触れやすい部分に触れることができるので、前記蛍光灯１３の点灯又は消灯を容易に行うことができる。また、前記タッチセンサ９が前記支柱部５に形成された孔部８に設けられているので、前記タッチセンサ９が正面を向かない構造であるにも拘わらず、前記支柱部５が必要以上に太くならないようにすることができる。また、前記タッチセンサ９が前記支柱部５に形成された孔部８の内周面８Ａに沿って設けられているので、不用意に前記タッチセンサ９に触れることで、意図せず前記蛍光灯１３を点灯又は消灯させてしまわないようにすることができる。更に、前記孔部８を前記支柱部５の前後方向に貫通させて形成したことにより、指を前記孔部８に挿入する際、無造作に指先を前記孔部８に挿入したとしても、爪先が前記孔部８の奥に当たらないので、点灯又は消灯をより容易に行うことができる。
【００１３】
次に、本発明の第二の実施形態について、図３及び図４に基づいて説明する。２１は照明装置としての電気スタンドである。この電気スタンド２１は、厚い平板状の鋼板によって形成された基部２と、腕部２３と、この腕部２３の先端に設けられた灯具４とを有して構成されている。なお、前記腕部２３は、前記基部２の後部に立設された支柱部２５と、この支柱部２５の上部に設けられた屈曲部６と、この屈曲部６の先端に設けられた首部７とを有して構成されている。そして、前記支柱部２５には、後述する蛍光灯１３を点灯させるための図示しない点灯回路が収容されている。また、前記支柱部２５には、孔部２８が形成されていると共に、この孔部２８の内周面２８Ａには、前記点灯回路のためのスイッチである環状のタッチセンサ２９が設けられている。なお、前記孔部２８は、前方の開口部２８Ｂ側が広くなるように構成されている。ここで言う「前方」の定義は、前記電気スタンド２１の正面側であるが、使用時に使用者と対向する側と定義しても良い。また、前記タッチセンサ２９は、合成樹脂製の環状部材の表面に金属メッキを施して構成されている。更に、前記屈曲部６は、蛇腹体１０の内部に図示しないフレキシブルシャフトを内蔵して構成されている。そして、このフレキシブルシャフトが自在に屈曲することで、前記屈曲部６は自在に屈曲する。
【００１４】
前記灯具６は、下方が開放したセード１１と、このセード１１に設けられたソケット１２に対して着脱自在に取り付けられる蛍光灯１３とを有して構成されている。なお、前記蛍光灯１３としては、例えばＦＰＬ型の蛍光灯等が用いられる。前記セード１１は、下方が開放したセード本体１４と、このセード本体１４の左端側に設けられると共に前記ソケット１２を収容する収容部１５とで構成されている。そして、前記収容部１５は、前記首部７に対して取り付けられている。また、セード本体１４には、反射板１６が取り付けられていると共に、この反射板１６の下方に、前記蛍光灯１３の先端側を保持するための保持金具１７が設けられている。
【００１５】
次に、本実施形態の作用について説明する。まず、使用者は前記電気スタンド２１を机上等の任意の位置に置き、図示しない電源プラグを図示しないコンセントに差し込む。そして、前記開口部２８Ｂから前記孔部２８内に任意の指を挿入し、前記タッチセンサ２９に触れることで、図示しない点灯回路によって、前記ソケット１２に接続された蛍光灯１３が点灯又は消灯する。この蛍光灯１３を点灯させると、この蛍光灯１３から放射された光によって、机上等が照らされる。具体的には、前記蛍光灯１３から下方に放射された光によって、机上等が直接照らされると共に、前記蛍光灯１３から上方に放射された光が前記反射板１６で下方に反射されて机上等が照らされる。
【００１６】
なお、前述したように、前記孔部２８の奥よりも開口部２８Ｂが広くなるように、前記孔部２８が構成されていることで、多少斜めからでも使用者の指を前記孔部２８に挿入できるので、前記タッチセンサ２９に触れやすくなっている。また、前述したように、前記孔部２８の内周面２８Ａに沿うように、環状の前記タッチセンサ２９が設けられていることで、このタッチセンサ２９のうち、自然な姿勢で指の腹が触れやすい部分に触れることができるので、前記蛍光灯１３の点灯又は消灯を容易に行うことができる。また、前記タッチセンサ２９が前記支柱部２５に形成された孔部８に設けられているので、前記タッチセンサ２９が正面を向かない構造であるにも拘わらず、前記支柱部２５が必要以上に太くならないようにすることができる。更に、前記タッチセンサ２９が前記支柱部２５に形成された孔部２８の内周面２８Ａに沿って設けられているので、不用意に前記タッチセンサ２９に触れることで、意図せず前記蛍光灯１３を点灯又は消灯させてしまわないようにすることができる。
【００１７】
次に、本発明の第三の実施形態について、図５及び図６に基づいて説明する。３１は照明装置としての電気スタンドである。この電気スタンド３１は、厚い平板状の鋼板によって形成された基部２と、腕部３３と、この腕部３３の先端に設けられた灯具４とを有して構成されている。なお、前記腕部３３は、前記基部２の後部に立設された支柱部３５と、この支柱部３５の上部に設けられた屈曲部６と、この屈曲部６の先端に設けられた首部７とを有して構成されている。そして、前記支柱部３５には、後述する蛍光灯１３を点灯させるための図示しない点灯回路が収容されている。また、前記支柱部３５には、孔部３８が前後方向に貫通して形成されていると共に、この孔部３８の内周面３８Ａの下部には、前記点灯回路のためのプッシュスイッチ３９が設けられている。ここで言う「前方」の定義は、前記電気スタンド３１の正面側であるが、使用時に使用者と対向する側と定義しても良い。なお、前記屈曲部６は、蛇腹体１０の内部に図示しないフレキシブルシャフトを内蔵して構成されている。そして、このフレキシブルシャフトが自在に屈曲することで、前記屈曲部６は自在に屈曲する。
【００１８】
前記灯具６は、下方が開放したセード１１と、このセード１１に設けられたソケット１２に対して着脱自在に取り付けられる蛍光灯１３とを有して構成されている。なお、前記蛍光灯１３としては、例えばＦＰＬ型の蛍光灯等が用いられる。前記セード１１は、下方が開放したセード本体１４と、このセード本体１４の左端側に設けられると共に前記ソケット１２を収容する収容部１５とで構成されている。そして、前記収容部１５は、前記首部７に対して取り付けられている。また、セード本体１４には、反射板１６が取り付けられていると共に、この反射板１６の下方に、前記蛍光灯１３の先端側を保持するための保持金具１７が設けられている。
【００１９】
次に、本実施形態の作用について説明する。まず、使用者は前記電気スタンド３１を机上等の任意の位置に置き、図示しない電源プラグを図示しないコンセントに差し込む。そして、前記開口部３８Ｂ側から前記孔部３８内に指を挿入し、前記プッシュスイッチ３９を押すことで、図示しない点灯回路によって、前記ソケット１２に接続された蛍光灯１３が点灯又は消灯する。この蛍光灯１３を点灯させると、この蛍光灯１３から放射された光によって、机上等が照らされる。具体的には、前記蛍光灯１３から下方に放射された光によって、机上等が直接照らされると共に、前記蛍光灯１３から上方に放射された光が前記反射板１６で下方に反射されて机上等が照らされる。
【００２０】
なお、前記プッシュスイッチ３９が前記支柱部３５に形成された孔部３８の内周面３８Ａに設けられているので、前記プッシュスイッチ３９が正面を向かない構造であるにも拘わらず、前記支柱部３５が必要以上に太くならないようにすることができる。また、前記プッシュスイッチ３９が前記支柱部３５に形成された孔部３８の内周面３８Ａに設けられているので、不用意に前記プッシュスイッチ３９に触れることで、意図せず前記蛍光灯１３を点灯又は消灯させてしまわないようにすることができる。更に、前記孔部３８を前記支柱部３５の前後方向に貫通させて形成したことにより、指を前記孔部３８に挿入する際、無造作に指先を前記孔部３８に挿入したとしても、爪先が前記孔部３８の奥に当たらないので、点灯又は消灯をより容易に行うことができる。
【００２１】
次に、本発明の第四の実施形態について、図７及び図８に基づいて説明する。４１は照明装置としての電気スタンドである。この電気スタンド４１は、厚い平板状の鋼板によって形成された基部２と、腕部４３と、この腕部４３の先端に設けられた灯具４とを有して構成されている。なお、前記腕部４３は、前記基部２の後部に立設された支柱部４５と、この支柱部５の上部に設けられた屈曲部６と、この屈曲部６の先端に設けられた首部７とを有して構成されている。そして、前記支柱部４５には、後述する蛍光灯１３を点灯させるための図示しない点灯回路が収容されている。また、前記支柱部４５には、孔部４８が前後方向に貫通して形成されている。ここで言う「前方」の定義は、前記電気スタンド４１の正面側であるが、使用時に使用者と対向する側と定義しても良い。また、前記孔部４８の内周面４８Ａの上部及び下部には、それぞれ貫通孔４８Ｃ，４８Ｄが形成されており、これらの貫通孔４８Ｃ，４８Ｄに対応して、前記支柱部４５内に、発光素子４９Ａ及び受光素子４９Ｂが設けられている。そして、これらの発光素子４９Ａ及び受光素子４９Ｂによって、前記点灯回路のためのスイッチである光学センサユニット４９が設けられている。なお、前記孔部４８は、その中央よりも前方の開口部４８Ｂ側及び後方の開口部４８Ｅ側が広くなるように構成されている。また、前記屈曲部６は、蛇腹体１０の内部に図示しないフレキシブルシャフトを内蔵して構成されている。そして、このフレキシブルシャフトが自在に屈曲することで、前記屈曲部６は自在に屈曲する。
【００２２】
前記灯具６は、下方が開放したセード１１と、このセード１１に設けられたソケット１２に対して着脱自在に取り付けられる蛍光灯１３とを有して構成されている。なお、前記蛍光灯１３としては、例えばＦＰＬ型の蛍光灯等が用いられる。前記セード１１は、下方が開放したセード本体１４と、このセード本体１４の左端側に設けられると共に前記ソケット１２を収容する収容部１５とで構成されている。そして、前記収容部１５は、前記首部７に対して取り付けられている。また、セード本体１４には、反射板１６が取り付けられていると共に、この反射板１６の下方に、前記蛍光灯１３の先端側を保持するための保持金具１７が設けられている。
【００２３】
次に、本実施形態の作用について説明する。まず、使用者は前記電気スタンド４１を机上等の任意の位置に置き、図示しない電源プラグを図示しないコンセントに差し込む。すると、前記発光素子４９Ａから放射された光が、前記受光素子４９Ｂに入る。そして、前記開口部４８Ｂ側から前記孔部４８内に任意の指を挿入し、前記発光素子４９Ａから放射された光を遮って前記受光素子４９Ｂに入るのを妨げることで、図示しない点灯回路によって、前記ソケット１２に接続された蛍光灯１３が点灯又は消灯する。この蛍光灯１３を点灯させると、この蛍光灯１３から放射された光によって、机上等が照らされる。具体的には、前記蛍光灯１３から下方に放射された光によって、机上等が直接照らされると共に、前記蛍光灯１３から上方に放射された光が前記反射板１６で下方に反射されて机上等が照らされる。
【００２４】
なお、前述したように、前記孔部４８が、その中央よりも前方の開口部４８Ｂ側及び後方の開口部４８Ｅ側が広くなるように構成されていることで、多少斜めからでも使用者の指を前記孔部４８に挿入することができる。また、前記発光素子４９Ａから放射された光が使用者の指で反射した後、更に前記内周面４８Ａで反射したとしても、この反射光は前記孔部４８から出る方向に反射することになる。このため、前記発光素子４９Ａと受光素子４９Ｂとの間に指を入れることで、確実に光を遮断し、前記蛍光灯１３を確実に点灯又は消灯させることができる。また、前記光学センサユニット４９が前記支柱部４５に形成された孔部４８内に設けられているので、不用意に前記発光素子４９Ａからの光を遮断することで、意図せず前記蛍光灯１３を点灯又は消灯させてしまわないようにすることができる。更に、前記孔部４８を前記支柱部４５の前後方向に貫通させて形成したことにより、指を前記孔部４８に挿入する際、無造作に指先を前記孔部４８に挿入したとしても、爪先が前記孔部４８の奥に当たらないので、点灯又は消灯をより容易に行うことができる。
【００２５】
なお、本発明は以上の実施形態に限定されるものではなく、発明の要旨の範囲内で種々の変形実施が可能である。例えば、上記各実施形態では、灯具の光源として蛍光灯を用いたが、これ以外の光源、例えば白熱電球や発光ダイオード等を用いても良い。また、上記第一及び第二の実施形態において、前記タッチセンサは、合成樹脂製の環状部材の表面に金属メッキを施して構成されているが、前記タッチセンサを金属によって環状に形成しても良い。
【図面の簡単な説明】
【００２６】
【図１】本発明の第一の実施形態を示す照明装置の外観図であり、（ａ）は全体の正面図、（ｂ）は灯具の底面図である。
【図２】同上、要部のＡ−Ａ拡大断面図である。
【図３】本発明の第二の実施形態を示す照明装置の外観図であり、（ａ）は全体の正面図、（ｂ）は灯具の底面図である。
【図４】同上、要部のＢ−Ｂ拡大断面図である。
【図５】本発明の第三の実施形態を示す照明装置の外観図であり、（ａ）は全体の正面図、（ｂ）は灯具の底面図である。
【図６】同上、要部のＣ−Ｃ拡大断面図である。
【図７】本発明の第四の実施形態を示す照明装置の外観図であり、（ａ）は全体の正面図、（ｂ）は灯具の底面図である。
【図８】同上、要部のＤ−Ｄ拡大断面図である。
【符号の説明】
【００２７】
１，２１，３１，４１  電気スタンド（照明装置）
３，２３，３３，４３  腕部
４  灯具
５，２５，３５，４５  支柱部（腕部）
８，２８，３８，４８  孔部
８Ａ，２８Ａ，３８Ａ，４８Ａ  内周面
８Ｂ，２８Ｂ，３８Ｂ，４８Ｂ  開口部
９，２９  タッチセンサ（スイッチ）
３９  プッシュスイッチ（スイッチ）
４９  光学センサユニット（スイッチ）
４９Ａ  発光素子（スイッチ）
４９Ｂ  受光素子（スイッチ）
【図１】
2010050062.tif 000003
【図２】
2010050062.tif 000004
【図３】
2010050062.tif 000005
【図４】
2010050062.tif 000006
【図５】
2010050062.tif 000007
【図６】
2010050062.tif 000008
【図７】
2010050062.tif 000009
【図８】
2010050062.tif 000010